(57)【要約】      （修正有）【課題】構造が簡単で、加工が便利で、操作が柔軟であり、使用範囲が広い超音波骨カッターのカッターヘッドを提供する。【解決手段】超音波骨カッターのカッターヘッドは、先端に位置する切断部１と、切断部に接続されるとともに超音波骨カッター変換器に接続されるカッターバー２とを備え、切断部は、切断部の両側にそれぞれ位置する２つの刃３と、刃に垂直に対向配置される上切断面及び下切断面とを備え、上切断面及び下切断面は、カッターヘッドの軸線に対して傾斜する。手術を行う際、カッターヘッドの湾曲構造により、ストレートカッターではできない操作を完成でき、手術の切口長が縮小され、手術リスクが低減され、手術時間が短縮される。【選択図】図１
0003224960.tif 000002
【実用新案登録請求の範囲】
【請求項１】
超音波骨カッターのカッターヘッドの先端に位置する切断部と、一方端が前記切断部に接続されて他方端が超音波骨カッター変換器に接続されるカッターバーとを備える前記超音波骨カッターのカッターヘッドであって、
前記切断部は、前記切断部の両側にそれぞれ位置する２つの刃と、前記刃に垂直となる対向配置される上切断面及び下切断面とを備え、
前記上切断面及び前記下切断面は、前記超音波骨カッターのカッターヘッドの軸線に対して傾斜することを特徴とする超音波骨カッターのカッターヘッド。
【請求項２】
前記切断部の上切断面と前記カッターバーとの過渡には、円弧が用いられ、過渡箇所には、内方へ凹のアークが形成されていることを特徴とする請求項１に記載の超音波骨カッターのカッターヘッド。
【請求項３】
前記切断部の下切断面と前記カッターバーとの過渡には、円弧が用いられ、過渡箇所には、外方へ凸のアークが形成されていることを特徴とする請求項１に記載の超音波骨カッターのカッターヘッド。
【請求項４】
前記切断部は、前記上切断面が前記下切断面に平行する偏平構造であることを特徴とする請求項１から３の何れか一項に記載の超音波骨カッターのカッターヘッド。
【請求項５】
前記切断部は、前記切断部の後端から前記上切断面と前記下切断面との母線に沿って徐々に先端へ収束する漸変偏平構造であることを特徴とする請求項１から３の何れか一項に記載の超音波骨カッターのカッターヘッド。
【請求項６】
前記下切断面には、補強筋が設けられ、前記刃は、前記補強筋の外面に突出することを特徴とする請求項１から３の何れか一項に記載の超音波骨カッターのカッターヘッド。
【請求項７】
前記２つの刃のうちの１つの刃には、カッター歯が設けられていることを特徴とする請求項１に記載の超音波骨カッターのカッターヘッド。
【請求項８】
前記２つの刃には、カッター歯がそれぞれ設けられていることを特徴とする請求項１に記載の超音波骨カッターのカッターヘッド。
【請求項９】
前記切断部のトップは、円弧構造であることを特徴とする請求項１に記載の超音波骨カッターのカッターヘッド。
【請求項１０】
前記カッターバーの末端には、ネジが設けられ、前記カッターバーの外周には、クランプ面が設けられていることを特徴とする請求項１に記載の超音波骨カッターのカッターヘッド。
【考案の詳細な説明】
【技術分野】
【０００１】
本考案は、医療器械デバイス分野に関し、特にメス、より具体的に超音波骨カッターのカッターヘッドに関する。
【背景技術】
【０００２】
現代社会において、医療技術の発展に伴い、整形外科学の手術も多様化に傾いているに応じて、手術を実施する際に、異なる整形外科学の病状に対して異なる形状の外科用カッターのヘッドを採用して、患部に対して切断、研削、スクレーパ、クランプなどの操作を行なっている。
【０００３】
骨格構造の特殊な構成について、近年発展しつつある超音波技術を組み合わせると、超音波骨カッターは、だんだん現代骨科手術の主なツールになってきている。超音波骨カッターは、高強度集束超音波を利用し、変換器を介して電気エネルギーを機械エネルギーに転換し、高周波超音波による発振を経て、触れた組織細胞内の水分を気化させ、蛋白質水素結合を断裂させることにより、手術で切断を必要とされる骨組織を徹底的に破壊させてしまう。当該高強度集束超音波が特定の硬度の骨組織のみに対して破壊作用を果たし、硬い部分を切断するが柔らかい部分を切断しない特性を有するため、特に外周が骨格構造、中間が脊髄である柔軟な組織の脊柱手術に特に適用されている。超音波骨カッターを利用して手術すると、手術において過度の力を加えて不注意に脊髄に傷付ける医療事故の発生を有効的に防止でき、手術の安全性が高められている。
【０００４】
骨科手術では、よく使用されている超音波骨カッターのシート状カッターヘッドは、切断をメインにするカッターヘッドである。しかし、既存のこの種のカッターヘッドは、ストレートシート状をメインにすることが多く、図５に示すように、その刃方向が超音波骨カッターのカッターヘッドの軸線方向と同じである。その切断軌跡が超音波骨カッターのカッターヘッドの軸線方向に沿うしかできないため、縦方向切断が良好な切断効果を有する。しかし、具体的な手術状況が大きく相違しており、横方向切断を必要とする幾つかの手術操作に関しては、手術操作空間が限られているため、このような縦方向切断向けのストレートシート状メスが使い道を失ってしまう。
【考案の概要】
【考案が解決しようとする課題】
【０００５】
従来技術の課題を解決すべく、本考案は、超音波骨カッターのカッターヘッドを提供する。当該超音波骨カッターのカッターヘッドは、超音波骨カッターのカッターヘッドの先端に位置する切断部と、一方端が切断部に接続されて他方端が超音波骨カッター変換器に接続されるカッターバーとを備え、切断部は、切断部の両側にそれぞれ位置する２つの刃と、刃に垂直となる対向配置される上切断面及び下切断面とを備え、上切断面及び下切断面は、超音波骨カッターのカッターヘッドの軸線に対して傾斜する。
【０００６】
本考案の超音波骨カッターのカッターヘッドを用いて特定の手術を行う際、超音波骨カッターのカッターヘッドの湾曲構造により、医者が脊髄をバイパスして横方向の切断・骨切り操作を行うのに役立つとともに、幾つかの不可視領域での横方向骨切り操作の実施も可能である。操作空間が小さいときにも、本考案の超音波骨カッターのカッターヘッドがストレートシート状のものの代わりに骨切り操作を実施可能であるため、手術の切口長が縮小され、手術リスクが低減され、手術時間が短縮されている。
【０００７】
本考案の超音波骨カッターのカッターヘッドに基づいて、好ましくは、切断部の上切断面とカッターバーとの過渡には、円弧が用いられ、過渡箇所には、内方へ凹のアークが形成されている。切断部の下切断面とカッターバーとの過渡には、円弧が用いられ、過渡箇所には、外方へ凸のアークが形成されている。円弧構造は、機械設計の常套な設計手段であり、円弧による過渡を用いると、応力の集中が回避される一方、加工が便利になる。より重要なことは、鋭い角過渡の場合における鋭い角の生体組織へのダメージを有効に防止可能である。
【０００８】
本考案の超音波骨カッターのカッターヘッドに基づいて、好ましくは、切断部は、上切断面が下切断面に平行する偏平構造である。切断部は、偏平構造であるため、空間的に占用する位置がより少なく、動ける余地がより大きく、より広い応用範囲を有する。
【０００９】
本考案の超音波骨カッターのカッターヘッドに基づいて、好ましくは、切断部は、切断部の後端から上切断面と下切断面との母線に沿って徐々に先端へ収束する漸変偏平構造である。オペレータは、異なる需要に応じて異なる形状の超音波骨カッターのカッターヘッドを選択して手術をよりスムーズに進行させることが可能である。
【００１０】
本考案の超音波骨カッターのカッターヘッドに基づいて、好ましくは、下切断面には、補強筋が設けられ、刃は、補強筋の外面に突出する。補強筋は、切断部の支持構造であり、超音波骨カッターのカッターヘッドの使用寿命を効果的に向上可能であるとともに、切断完了の部分が補強筋に突出する刃であるため、補強筋が超音波骨カッターのカッターヘッドの切断効果へ影響しない。
【００１１】
本考案の超音波骨カッターのカッターヘッドに基づいて、好ましくは、２つの刃のうちの１つの刃には、カッター歯が設けられている。好ましくは、２つの刃には、カッター歯がそれぞれ設けられている。カッター歯の設置により、医者が切断を行っているときに切断面をより良好に制御し、快速に切断を実施することが可能である。
【００１２】
本考案の超音波骨カッターのカッターヘッドに基づいて、好ましくは、切断部のトップは、円弧構造または平面構造であり、鋭い角の生体組織へのダメージを効果的に防止可能である。
【００１３】
本考案の超音波骨カッターのカッターヘッドに基づいて、好ましくは、カッターバーの末端には、ネジが設けられている。ネジの設置により、超音波骨カッターのカッターヘッドが超音波骨カッター変換器に緊密接続されている。
【考案の効果】
【００１４】
従来技術よりも、本考案の実施例は、下記のメリットを有する。本考案における超音波骨カッターのカッターヘッドは、構造が簡単で、加工が便利で、操作が柔軟であり、使用範囲が広い。本考案の超音波骨カッターのカッターヘッドを用いて特定の手術を行う際、超音波骨カッターのカッターヘッドの湾曲構造により、医者が脊髄をバイパスして横方向の切断・骨切り操作を行うのに役立つとともに、幾つかの不可視領域での横方向骨切り操作の実施も可能である。操作空間が小さいときにも、本考案の超音波骨カッターのカッターヘッドがストレートシート状のものの代わりに骨切り操作を実施可能であるため、手術の切口長が縮小され、手術リスクが低減され、手術時間が短縮されている。
【図面の簡単な説明】
【００１５】
本考案の具体的な実施形態又は従来技術における技術案をより明瞭に説明するために、具体的な実施形態又は従来技術の記述に使用される必要がある図面を下記のように簡単的に紹介する。自明的に、下記の記述における図面は本考案のある実施形態であり、当業者は進歩性に値する労働を要さない上に、これらの図面に基づいて、他の図面を得ることができる。
【図１】本考案の超音波骨カッターのカッターヘッドの第１実施例の概略斜視図である。
【図２】本考案の超音波骨カッターのカッターヘッドの第１実施例の正面視模式図である。
【図３】本考案の超音波骨カッターのカッターヘッドの第１実施例の平面視模式図である。
【図４】本考案の超音波骨カッターのカッターヘッドの第２実施例の概略斜視図である。
【図５】従来技術のストレートシート状超音波骨カッターのカッターヘッドの正面視模式図である。
【図６Ａ】本考案の超音波骨カッターのカッターヘッドを用いて脊柱手術を行なう時の第１状態模式図である。
【図６Ｂ】本考案の超音波骨カッターのカッターヘッドを用いて脊柱手術を行なう時の第２状態模式図である。
【図６Ｃ】本考案の超音波骨カッターのカッターヘッドを用いて脊柱手術を行なった後の骨組織状態模式図である。
【考案を実施するための形態】
【００１６】
以下、図面に合わせて本考案の技術案を明瞭、完全に記述する。明らかに、記述される実施例は本考案の一部の実施例だけであり、全部の実施例ではない。本考案の実施例に基づき、当業者が進歩性に値する労働を要しない上で得られる全ての他の実施例は、いずれも本考案が保護する範囲に属するものである。
【００１７】
本考案では記述する際に、理解させるために用いる用語「中心」、「上」、「下」、「左」、「右」、「垂直」、「水平」、「内」、「外」等の指示の方位又は位置関係は、図面に示されている方位又は位置関係に基づいており、本考案を容易且つ簡単に説明するためであり、示される装置又は部材が必ずしも特定な方位、特定な方位構造と操作を有するものであると指示又は示唆するものではないため、本考案を制限するものではないと理解されるべきである。それ以外に、技術用語「第１」、「第２」、「第３」は目的のみを記述するためであり、重要性を指示又は暗示すると理解してはいけない。
【００１８】
本考案の記述において、説明すべきこととして、他の明確な規定及び限定を有する以外に、術語「取り付ける」、「互いに連結」、「連結」は広い意味に理解し、例えば、固定して連結してもよく、取り外し可能に連結され、または一体的に連結されてもよく、機械的連結してもよく、電気的接続してもよく、直接的に連結してもよく、中間媒体を介して間接的に連結してもよく、２つの部材の内部が連結していてもよい。当業者は、具体的な状況により上記術語を本考案で果たす具体的な意味として理解しなければならない。
【００１９】
図１は、本考案の超音波骨カッターのカッターヘッドの第１実施例の概略斜視図であり、図２は、本考案の超音波骨カッターのカッターヘッドの第１実施例の正面視模式図である。図１、図２に示すように、本考案の超音波骨カッターのカッターヘッドは、超音波骨カッターのカッターヘッドの先端に位置する切断部１と、一方端が切断部１に接続されて他方端が超音波骨カッター変換器に接続されるカッターバー２とを備える。切断部１は、切断部１の両側にそれぞれ位置する刃３と、刃３に垂直となる対向配置される上切断面４及び下切断面５とを備え、上切断面４と下切断面５は、超音波骨カッターのカッターヘッドの軸線に対して傾斜する。
【００２０】
本考案の超音波骨カッターのカッターヘッドを用いて特定の手術を行う際、超音波骨カッターのカッターヘッドの湾曲構造により、医者が脊髄をバイパスして横方向の切断・骨切り操作を行うのに役立つとともに、幾つかの不可視領域での横方向骨切り操作の実施も可能である。操作空間が小さいときにも、本考案の超音波骨カッターのカッターヘッドがストレートシート状のものの代わりに骨切り操作を実施可能であるため、手術の切口長が縮小され、手術リスクが低減され、手術時間が短縮されている。
【００２１】
図２に示すように、本考案の超音波骨カッターのカッターヘッドの切断部１の上切断面４とカッターバー２との過渡には、円弧が用いられ、過渡箇所には、内方へ凹のアーク６が形成されている。切断部１の下切断面５とカッターバー２との過渡には、円弧が用いられ、過渡箇所には、外方へ凸のアーク７が形成されている。円弧構造が機械設計の常套な設計手段であり、円弧による過渡を用いると、応力の集中が回避される一方、加工が便利になっている。より重要なことは、鋭い角過渡の場合における鋭い角の生体組織へのダメージを有効に防止することができる。
【００２２】
本考案の超音波骨カッターのカッターヘッドでは、切断部１は、上切断面４が下切断面５に平行する均一な偏平構造であってもよい。偏平構造を持つ切断部１は、空間的に占用する位置がより少なく、動ける空間がより大きく、より広い応用範囲を有する。
【００２３】
本考案の超音波骨カッターのカッターヘッドでは、切断部１は、切断部１の後端から上切断面４と下切断面５との母線に沿って徐々に先端へ収束する漸変偏平構造であってもよい。つまり、切断部１は、上切断面４と下切断面５とが切断部１の後端から先端へ向かうにつれて徐々に近接する漸変偏平構造であってもよい。オペレータは、異なる需要に応じて異なる形状の超音波骨カッターのカッターヘッドを選択して手術をよりスムーズに進行させることが可能である。
【００２４】
図３は、本考案の超音波骨カッターのカッターヘッドの第１実施例の平面視模式図である。図１、図３に示すように、本考案の超音波骨カッターのカッターヘッドは、片側刃３にカッター歯９を設けてもよく、両側刃３にカッター歯９をそれぞれ設けてもよい。カッター歯９は、複数の凹溝が一定の距離をあけて形成されるものである。カッター歯９の設置により、医者が切断を行っているときに切断面をより良好に所持し、快速に切断を実施すことができる。
【００２５】
図４は、本考案の超音波骨カッターのカッターヘッドの第２実施例の概略斜視図である。図４において、超音波骨カッターのカッターヘッドの下切断面５に補強筋８が設けられ、刃３が補強筋８の外面に突出する。補強筋８は、切断部１の支持構造であり、超音波骨カッターのカッターヘッドの使用寿命を効果的に向上可能であるとともに、切断が実施される部分が補強筋８に突出する刃３であるため、補強筋８が超音波骨カッターのカッターヘッドの切断効果へ影響しない。
【００２６】
本考案の超音波骨カッターのカッターヘッドでは、切断部１のトップは、円弧構造または平面構造であり、鋭い角の生体組織へのダメージを効果的に防止可能である。
【００２７】
本考案の超音波骨カッターのカッターヘッドでは、カッターバー２の末端にネジ１０が設けられている。手術中にネジ１０を介して超音波骨カッターのカッターヘッドを超音波骨カッター変換器に確実に接続する。
【００２８】
図６Ａは、本考案の超音波骨カッターのカッターヘッドを用いて脊柱手術を行なう時の第１状態模式図であり、図６Ｂは、本考案の超音波骨カッターのカッターヘッドを用いて脊柱手術を行なう時の第２状態模式図であり、図６Ｃは、本考案の超音波骨カッターのカッターヘッドを用いて脊柱手術を行なった後の骨組織状態模式図である。図６Ａ〜図６Ｃに示すように、本考案の超音波骨カッターのカッターヘッドを用いて特定の手術を行う際、超音波骨カッターのカッターヘッドの湾曲構造により、医者が脊髄をバイパスして横方向の切断・骨切り操作を行うのに役立つとともに、幾つかの不可視領域での横方向骨切り操作の実施も可能である。操作空間が小さいときにも、本考案の超音波骨カッターのカッターヘッドがストレートシート状のものの代わりに骨切り操作を実施可能であるため、手術の切口長が縮小され、手術リスクが低減され、手術時間が短縮されている。これは、図５に示す従来技術のストレートシート状超音波骨カッターのカッターヘッドにとって非常に困難なものである。
【００２９】
最後に説明すべきことは、上述した各実施例が単に本考案の解決手段を説明するためのものであり、制限とはならない。上述した各実施例を参照して本考案を詳細に説明したが、当業者であれば分かるように、上述した各実施例で記載された解決手段を変更し、または一部若しくは全部の技術的特徴に対して均等物による置換を行うことも可能である。また、これらの変更または置換による技術案の要旨が本考案各実施例の解決手段の範囲から逸脱することはない。
【符号の説明】
【００３０】
１、１０  切断部
２、２０  カッターバー
３、３０  刃
４  上切断面
５  下切断面
６  内方へ凹のアーク
７  外方へ凸のアーク
８  補強筋
９  カッター歯
１０  ネジ
【図１】
0003224960.tif 000003
【図２】
0003224960.tif 000004
【図３】
0003224960.tif 000005
【図４】
0003224960.tif 000006
【図５】
0003224960.tif 000007
【図６Ａ】
0003224960.tif 000008
【図６Ｂ】
0003224960.tif 000009
【図６Ｃ】
0003224960.tif 000010
【手続補正書】
【提出日】令和1年6月26日(2019.6.26)
【手続補正１】
【補正対象書類名】実用新案登録請求の範囲
【補正対象項目名】請求項２
【補正方法】変更
【補正の内容】
【請求項２】
前記切断部の上切断面と前記カッターバーとの移行には、円弧が用いられ、移行箇所には、内方へ凹のアークが形成されていることを特徴とする請求項１に記載の超音波骨カッターのカッターヘッド。
【手続補正２】
【補正対象書類名】実用新案登録請求の範囲
【補正対象項目名】請求項３
【補正方法】変更
【補正の内容】
【請求項３】
前記切断部の下切断面と前記カッターバーとの移行には、円弧が用いられ、移行箇所には、外方へ凸のアークが形成されていることを特徴とする請求項１に記載の超音波骨カッターのカッターヘッド。
【手続補正３】
【補正対象書類名】明細書
【補正対象項目名】０００７
【補正方法】変更
【補正の内容】
【０００７】
本考案の超音波骨カッターのカッターヘッドに基づいて、好ましくは、切断部の上切断面とカッターバーとの移行には、円弧が用いられ、移行箇所には、内方へ凹のアークが形成されている。切断部の下切断面とカッターバーとの移行には、円弧が用いられ、移行箇所には、外方へ凸のアークが形成されている。円弧構造は、機械設計の常套な設計手段であり、円弧による移行を用いると、応力の集中が回避される一方、加工が便利になる。より重要なことは、鋭い角移行の場合における鋭い角の生体組織へのダメージを有効に防止可能である。
【手続補正４】
【補正対象書類名】明細書
【補正対象項目名】００２１
【補正方法】変更
【補正の内容】
【００２１】
図２に示すように、本考案の超音波骨カッターのカッターヘッドの切断部１の上切断面４とカッターバー２との移行には、円弧が用いられ、移行箇所には、内方へ凹のアーク６が形成されている。切断部１の下切断面５とカッターバー２との移行には、円弧が用いられ、移行箇所には、外方へ凸のアーク７が形成されている。円弧構造が機械設計の常套な設計手段であり、円弧による移行を用いると、応力の集中が回避される一方、加工が便利になっている。より重要なことは、鋭い角移行の場合における鋭い角の生体組織へのダメージを有効に防止することができる。
【手続補正書】
【提出日】令和1年8月28日(2019.8.28)
【手続補正１】
【補正対象書類名】実用新案登録請求の範囲
【補正対象項目名】全文
【補正方法】変更
【補正の内容】
【実用新案登録請求の範囲】
【請求項１】
超音波骨カッターのカッターヘッドの先端に位置する切断部と、一方端が前記切断部に接続されて他方端が超音波骨カッター変換器に接続されるカッターバーとを備える前記超音波骨カッターのカッターヘッドであって、
前記切断部は、前記切断部の両側にそれぞれ位置する２つの刃と、前記刃に垂直となる対向配置される上切断面及び下切断面とを備え、
前記上切断面及び前記下切断面は、前記超音波骨カッターのカッターヘッドの軸線に対して傾斜することを特徴とする超音波骨カッターのカッターヘッド。
【請求項２】
前記切断部と前記カッターバーとは、円弧状に湾曲することを特徴とする請求項１に記載の超音波骨カッターのカッターヘッド。
【請求項３】
前記切断部は、前記上切断面が前記下切断面に平行する偏平構造であることを特徴とする請求項１又は２に記載の超音波骨カッターのカッターヘッド。
【請求項４】
前記切断部は、前記切断部の後端から前記上切断面と前記下切断面との母線に沿って徐々に先端へ収束する漸変偏平構造であることを特徴とする請求項１又は２に記載の超音波骨カッターのカッターヘッド。
【請求項５】
前記下切断面には、補強筋が設けられ、前記刃は、前記補強筋の外面に突出することを特徴とする請求項１又は２に記載の超音波骨カッターのカッターヘッド。
【請求項６】
前記２つの刃のうちの１つの刃には、カッター歯が設けられていることを特徴とする請求項１に記載の超音波骨カッターのカッターヘッド。
【請求項７】
前記２つの刃には、カッター歯がそれぞれ設けられていることを特徴とする請求項１に記載の超音波骨カッターのカッターヘッド。
【請求項８】
前記切断部のトップは、円弧構造であることを特徴とする請求項１に記載の超音波骨カッターのカッターヘッド。
【請求項９】
前記カッターバーの末端には、ネジが設けられ、前記カッターバーの外周には、クランプ面が設けられていることを特徴とする請求項１に記載の超音波骨カッターのカッターヘッド。